(57)【要約】【課題】無線端末から無線基地局への上り信号のデータ量に配慮したリユースゾーン選択を行うことである。【解決手段】ＯＦＤＭＡ等の周波数再利用を適用した無線通信システムにおける無線通信方法である。第１の時間帯または第２の時間帯のうち、無線端末に割り当てられた時間帯を特定し、特定した時間帯で送信される信号の品質を無線端末が測定する測定段階と、その無線端末が、測定した信号の品質に基づいて選択した第１の時間帯または第２の時間帯のうちのいずれかを示す選択情報、または特定した時間帯で送信される信号について測定した品質情報を無線基地局に通知する通知段階とを含む。【選択図】図７
2010278928.tif 000002
【特許請求の範囲】
【請求項１】
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線通信方法であって、
第１の時間帯または第２の時間帯のうち、無線端末に割り当てられた時間帯を特定し、特定した時間帯で送信される信号の品質を無線端末が測定する測定段階と、
その無線端末が、測定した信号の品質に基づいて選択した第１の時間帯または第２の時間帯のうちのいずれかを示す選択情報、または特定した時間帯で送信される信号について測定した品質情報を無線基地局に通知する通知段階と
を含む無線通信方法。
【請求項２】
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線端末であって、
第１の時間帯または第２の時間帯のうち、無線端末に割り当てられた時間帯を特定し、特定した時間帯で送信される信号の品質を測定する測定部と、
前記測定部が測定した信号の品質にもとづいて選択した第１の時間帯または第２の時間帯のうちのいずれかを示す選択情報、または特定した時間帯で送信される信号について測定した品質情報を無線基地局に通知する通知部と
を有する無線端末。
【請求項３】
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線基地局であって、
前記無線端末が測定した信号の品質にもとづいて選択した第１の時間帯または第２の時間帯のうちのいずれかを示す選択情報、または特定した時間帯で送信される信号について測定した品質情報を受け取る受取部
を有する無線基地局。
【請求項４】
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムであって、
前記無線端末が、
第１の時間帯または第２の時間帯のうち、無線端末に割り当てられた時間帯を特定し、特定した時間帯で送信される信号の品質を測定し、
測定した信号の品質に基づいて選択した第１の時間帯または第２の時間帯のうちのいずれかを示す選択情報、または特定した時間帯で送信される信号について測定した品質情報を無線基地局に通知することを特徴とする無線通信システム。
【発明の詳細な説明】
【技術分野】
【０００１】
本発明は、無線端末、無線基地局、及び無線通信方法に関する。これらの無線端末、無線基地局、及び無線通信方法は、例えば直交周波数多元接続方式（ＯＦＤＭＡ；Orthogonal Frequency Division Multiple Access）に対応するものであってもよい。
【背景技術】
【０００２】
近年、ＩＥＥＥ８０２．１６標準やＬＴＥ（Long Term Evolution）等の多くの無線通信システムにおいて、無線通信方式の１例として、直交周波数多元接続（ＯＦＤＭＡ；Orthogonal Frequency Division Multiple Access）が利用されている。
【０００３】
ＯＦＤＭＡでは、無線リソースを有効利用するために部分的周波数再利用（ＦＦＲ；Fractional Frequency Reuse）を用いる場合がある。
【０００４】
ＦＦＲを適用する場合、無線端末と無線基地局は、ある時間帯では、隣接する他の無線基地局と共通する周波数帯域を用いて無線通信を行う。また、無線端末と無線基地局は、別の時間帯では、隣接する他の無線基地局とは異なる周波数帯域を用いて、または時分割によって無線通信を行う。
【０００５】
図１は、ＦＦＲを適用した場合における周波数帯域の空間的な配置を示す図である。また、図２は、図１に示した各周波数帯域の関係を示す図である。
【０００６】
図１には、無線基地局（ＢＳ）１〜３が配置され、それを中心に３つのセル１１〜１３が形成されている。各セル１１〜１３で使用される周波数帯域は、そのセルの中心部と周辺部では異なる。各ＢＳ１〜ＢＳ３は、中心部では、図２の下側に示したように、共通の周波数帯域Ａを利用して無線端末と通信する（リユース１）。また、各ＢＳ１〜ＢＳ３は、周辺部では、図２の上側に示したように、共通の周波数帯域Ａを３分割した相異なる周波数帯域Ｂ〜Ｄをそれぞれ利用して無線端末と通信する（リユース３）。例えば、ＢＳ１は、セル１１の中心部では、周波数帯域Ａを利用して無線端末と通信し、セル１１の周辺部では、周波数帯域Ｂを利用して無線端末と通信する。
【０００７】
このように周波数を配置することにより、周波数利用効率が高いリユース１の周波数配置と、隣接するセルとの干渉を低減してスループットを向上したリユース３の周波数配置とを合わせて利用することができる。
【０００８】
つまり、各セルの中心部では、周辺セルの中心部からは離れているため、干渉が小さく、同一周波数を配置することができるので、リユース１で周波数を配置する。一方、各セルの周辺部では、同一周波数を利用するリユース１を適用してしまうと、周辺セルからの干渉が大きく、スループットが低下するので、隣接するセルの周波数と異なる周波数を配置するリユース３で周波数を配置する。これにより、中心部では周波数利用効率を高めつつ、周辺部では干渉を低減することができるので、システム全体のスループットを向上できる。
【０００９】
図３は、ＯＦＤＭＡにＦＦＲを適用した場合のフレームマッピング例を示す図である。図３に示したフレームは、例えばＢＳ１のフレームマッピングであり、ダウンリンク（ＤＬ）サブフレームとアップリンク（ＵＬ）サブフレームとを有する。ＤＬサブフレームは、周波数帯域Ａに対応するリユース１ゾーン（周波数帯域Ａが利用される期間）と、周波数帯域Ｂに対応するリユース３ゾーン（周波数帯Ｂが利用される期間）とを含む。
【００１０】
すなわち、無線基地局（例えば、ＢＳ１）は、ある時間帯（図３のリユース１ゾーン）では、隣接する他の無線基地局（この場合、図１のＢＳ２、３）と共通する周波数帯域（図２の周波数帯域Ａ）を用いて無線端末と無線通信を行う。また、無線基地局は、別の時間帯（図３のリユース３ゾーン）では、隣接する他の無線基地局とは異なる周波数帯域（図２の周波数帯域Ｂ）を用いて無線端末と無線通信を行う。
【００１１】
また、無線基地局（例えば、ＢＳ１）は、上記の別の時間帯（図３のリユース３ゾーン）では、その時間帯をさらに分割した、隣接する他の無線基地局とは異なる時間帯を用いて無線通信を行うことも可能である。
【００１２】
上記のようにＯＦＤＭＡにＦＦＲを適用した場合、セル内における無線通信（例えば、無線端末からのＵＬサブフレームの送信）にリユース１ゾーンを用いるか、リユース３ゾーンを用いるか決定する。
【００１３】
図４は、従来のリユースゾーン決定方法を説明するための図である。この方法では、無線端末（ＭＳ）は、無線基地局（ＢＳ）から受信したＤＬ信号（ＤＬサブフレーム）４１のうち、リユース１ゾーンの信号４２の受信品質を測定する。
【００１４】
そして、無線基地局は、無線端末により測定された受信品質（測定値）が一定の閾値以上である場合、アップリンク信号送信時にＭＳをＵＬリユース１ゾーンに割り当てる。すなわち、ＭＳはＵＬサブフレーム４５のリユース１ゾーンでＵＬ信号４６を送信する。
【００１５】
一方、受信品質（測定値）が一定の閾値より低い場合、無線基地局は、アップリンク信号送信時にＭＳをＵＬリユース３ゾーンに割り当てる。すなわち、ＭＳはＵＬサブフレーム４５のリユース３ゾーンでＵＬ信号４７を送信する。なお、無線端末に対していずれのリユースゾーンが割り当てられていても、受信品質を測定する対象の信号は、リユース１ゾーンで送信される信号４２で変わらない。
【００１６】
図５は、従来の他のリユースゾーン決定方法を説明するための図である。この方法では、ＵＬ信号（ＵＬサブフレーム）５１のリユース１ゾーンを用いて測定用の信号５２がＭＳから送信される。ＢＳは、このＵＬ信号の測定用信号５２の受信品質を測定し、アップリンクのＦＦＲの振り分け結果をＭＳに指示する。
【００１７】
即ち、測定した受信品質が閾値以上である場合、無線基地局は、ＭＳにリユース１ゾーンを割り当てる。すなわち、ＭＳはＵＬサブフレーム５５のリユース１ゾーンを用いてＵＬ信号５６を送信する。
【００１８】
一方、受信品質が閾値よりも低い場合、無線基地局は、ＭＳにリユース３ゾーンを割り当てる。すなわち、ＭＳはＵＬサブフレーム５５のリユース３ゾーンでＵＬ信号５７を送信する。
【００１９】
なお、図５では、リユース１ゾーンの所定の時間において、全サブチャンネルを用いて測定用信号を送信している。
【先行技術文献】
【特許文献】
【００２０】
【特許文献１】特開２００２−３２０２６２号公報
【非特許文献】
【００２１】
【非特許文献１】IEEE Std 802.16(tm)-2004
【非特許文献２】IEEE Std 802.16(tm)-2005
【非特許文献３】Mobile WiMAX - Part I: A Technical Overview and Performance Evaluation (August, 2006)
【発明の概要】
【発明が解決しようとする課題】
【００２２】
しかし、リユース１ゾーンとリユース３ゾーンとの間では伝搬環境が異なる。
【００２３】
図４に示したように、ＤＬサブフレーム４１のリユース１ゾーンの信号４２の受信品質を測定し、ＵＬサブフレーム４５におけるリユースゾーン４６または４７の割り当てを決定する方法では、リユースゾーン３を用いた通信品質が不明であり、正確なリユースゾーンの決定ができない。その結果、スループットが低下するという問題がある。
【００２４】
また、図５に示したように、ＵＬサブフレーム５１で測定用の信号５２を送信する方法では、その信号の分、アップリンクのデータ用にアサインできるはずの無線リソースが少なくなり、スループットが低下してしまうという問題がある。
【００２５】
そこで、１側面では、無線端末から無線基地局への上り信号のデータ量に配慮したリユースゾーン選択を実現することを目的とする。なお、アップリンクにアサインされたパイロットやデータの受信品質を測定し、その測定結果に基づき、リユースゾーンの割り当てを行う方法も考えられる。しかし、これらのアップリンクの信号は、パワーコントロールされることもあり、ＢＳから遠いＭＳでも受信品質がよく見えてしまうこともある。
【課題を解決するための手段】
【００２６】
一実施形態による無線通信方法は、無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線通信方法である。該無線通信方法は、第１の時間帯又は第２の時間帯のうち、無線端末に割当てられた時間帯を特定し、特定した時間帯で送信される信号の品質を無線端末が測定する測定段階と、その無線端末が、測定した信号の品質に基づいて選択した第１の時間帯又は第２の時間帯のうちのいずれかを示す選択情報、又は、特定した時間帯で送信される信号について測定した品質情報を無線基地局に通知する通知段階とを含む。
【００２７】
他の実施形態による無線端末は、無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線端末である。該無線端末は、第１の時間帯または第２の時間帯のうち、無線端末に割り当てられた時間帯を特定し、特定した時間帯で送信される信号の品質を測定する測定部と、前記測定部が測定した信号の品質にもとづいて選択した第１の時間帯または第２の時間帯のうちのいずれかを示す選択情報、または特定した時間帯で送信される信号について測定した品質情報を無線基地局に通知する通知部とを有する。
【００２８】
さらに他の実施形態による無線基地局は、無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線基地局である。該無線基地局は、前記無線端末が測定した信号の品質にもとづいて選択した第１の時間帯または第２の時間帯のうちのいずれかを示す選択情報、または特定した時間帯で送信される信号について測定した品質情報を受け取る受取部を有する。
【００２９】
さらに他の実施形態による無線通信システムは、無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムである。前記無線端末が、第１の時間帯または第２の時間帯のうち、無線端末に割り当てられた時間帯を特定し、特定した時間帯で送信される信号の品質を測定し、測定した信号の品質に基づいて選択した第１の時間帯または第２の時間帯のうちのいずれかを示す選択情報、または特定した時間帯で送信される信号について測定した品質情報を無線基地局に通知することを特徴とする。
【発明の効果】
【００３０】
無線端末から無線基地局への上り信号のデータ量に配慮したリユースゾーン選択を行うことができる。
【図面の簡単な説明】
【００３１】
【図１】部分的周波数再利用（ＦＦＲ）における周波数帯域の空間的な配置例を示す図である。
【図２】図１のＦＦＲで利用する周波数帯域の関係を示す図である。
【図３】基地局（ＢＳ）１におけるフレーム構成例を示す図である。
【図４】従来の無線通信方法を示す図である。
【図５】従来の他の無線通信方法を示す図である。
【図６】無線通信方法の参考例を示す図である。
【図７】第１の実施形態による無線通信方法を示すフローチャートである。
【図８】第１の実施形態による無線端末の構成例を示すブロック図である。
【図９】第１の実施形態による基地局の構成例を示すブロック図である。
【図１０Ａ】第２の実施形態による無線通信方法を示すフローチャートである。
【図１０Ｂ】第２の実施形態による無線通信方法を示すフローチャートである。
【図１０Ｃ】第２の実施形態による無線通信方法を示すフローチャートである。
【図１１Ａ】第３の実施形態による無線通信方法を示すフローチャートである。
【図１１Ｂ】第３の実施形態による無線通信方法を示すフローチャートである。
【図１１Ｃ】第３の実施形態による無線通信方法を示すフローチャートである。
【図１２】実施形態の特徴を説明するためのフレーム構成図である。
【図１３】第２または第３の実施形態による無線端末の構成例を示すブロック図である。
【図１４】第２または第３の実施形態による無線基地局の構成例を示すブロック図である。
【図１５】ＭＣＳテーブルの一例を示す図である。
【図１６】実施形態の適用例で用いる基地局及び無線端末の配置を示す図である。
【図１７】実施形態の適用例によるＭＣＳの割り当て及び送信ビット数を示す図である。
【図１８Ａ】周波数分割による実施例を示す図である。
【図１８Ｂ】周波数分割による実施例を示す図である。
【図１８Ｃ】周波数分割による実施例を示す図である。
【図１９Ａ】時分割による実施例を示す図である。
【図１９Ｂ】時分割による実施例を示す図である。
【図１９Ｃ】時分割による実施例を示す図である。
【図２０】第４の実施形態を適用するマルチホップリレーネットワークの一部を示す図である。
【図２１】第４の実施形態を説明するためのフレーム構成図である。
【図２２】第４の実施形態による無線端末の構成を示すブロック図である。
【図２３】第４の実施形態による基地局の構成を示すブロック図である。
【発明を実施するための形態】
【００３２】
以下、図面を参照して実施形態を詳細に説明する。各セルにリユース１ゾーンとリユース３ゾーンがある場合を例にとって説明するが、リユースゾーンは３つ以上あってもよい。また、周波数再利用係数は４以上であっても、３未満であってもよい。
【００３３】
アップリンク（またはダウンリンク）で利用するリユースゾーンをより正確に決定するためには、リユース１ゾーンとリユース３ゾーンの信号品質を両方とも測定して用いることが考えられる。
【００３４】
例えば、図６に示したように、ＤＬ信号（ＤＬサブフレーム）６１のリユース１ゾーンの信号６２の信号品質と、リユース３ゾーンの信号６３の信号品質とをＭＳにより測定する。その測定結果に基づきアップリンク（またはダウンリンク）に利用するリユースゾーンを決定することができる。例えば、ＭＳが測定したリユース１ゾーンとリユース３ゾーンの信号品質の測定結果を両方ともＢＳにフィードバックして、それに基づきどちらのリユースゾーンを利用するかＢＳが決定することが考えられる。
【００３５】
しかし、かかる構成では、ＭＳからＢＳにフィードバックする情報量が大きくなり、アップリンクの通信容量を消費してしまう。また、ＭＳは、リユース１ゾーン、リユース３ゾーンの双方についてリユースゾーン選択のための受信信号の品質測定をすることとなり、負荷が高まる。
【００３６】
そこで、ＭＳでリユース１ゾーンまたはリユース３ゾーンのいずれか一方について制限してリユースゾーン選択のための測定を行い、測定結果に基づきその次に用いるリユースゾーンを選択し、選択結果又は測定結果をＢＳにフィードバックする。リユースゾーン１、リユースゾーン３の双方について品質測定を行い、測定した双方の品質測定結果をＢＳに送信しなくてよい。例えば、リユース３ゾーンを割り当てられたＭＳは、リユース３ゾーンを用いて送信される信号（例えば、個別パイロット信号）の受信品質を測定する。受信品質が所定の閾値より低い場合、そのままリユース３ゾーンを用いる。一方、受信品質が所定の閾値よりも高い場合、リユースゾーン３を用いた通信からリユース１ゾーンを用いた通信に変更する。
【００３７】
また、両ゾーンにおいて、受信品質が所定の閾値よりも低い場合、伝搬環境が回復し、受信品質が所定の閾値以上になるまで、無線リソースの割り当てを行わないこととしてもよい。
【００３８】
これにより、各リユースゾーンの伝搬環境に合わせて適切なリユースゾーンを決定でき、スループットが向上する。
【００３９】
また、アップリンクではリユース１ゾーン、リユース３ゾーンのいずれかの品質測定結果、またはゾーン選択結果とＭＣＳ選択結果のみを送信すれば良い。
【００４０】
また、リユースゾーンの選択のために上り品質測定用の信号を送信しなくてもよいので、その分もスループットが向上する。
【００４１】
［第１の実施形態］
図７を参照して、第１の実施形態による無線通信方法を説明する。
【００４２】
本実施形態による無線通信方法は、無線端末が割り当てられたリユースゾーンに応じた、第１の時間帯または第２の時間帯のうちいずれか一方に制限して信号の品質を測定する測定段階を含む（ステップＡ１）。
【００４３】
ここで、第１の時間帯（例えば、リユース１ゾーン）では、ＢＳの無線エリアの中心部に位置するＭＳとの間で無線通信が行われる。また、第２の時間帯（例えば、リユース３ゾーン）は、ＢＳ無線エリアの中心から離れた場所に位置するＭＳとの間で無線通信が行われる。
【００４４】
ＭＳが測定する信号は、例えばＯＦＤＭＡのサブフレームに含まれる個別パイロット信号である。ＭＳが測定する信号の受信品質は、例えば搬送波レベル対干渉・雑音比（ＣＩＮＲ）である。
【００４５】
また、本無線通信方法は、測定段階で測定した第１の時間帯または第２の時間帯の信号の品質に基づき、他の信号を通信するリユースゾーンを選択する選択段階を含む（ステップＡ２）。
【００４６】
この選択は、たとえば所定の閾値との比較により行うことができるが、その他の適切なアルゴリズムを用いてもよい。例えば、選択するリユースゾーンの識別情報とともに、変更後の変調・符号化方式（ＭＣＳ）を選択してもよい。他の信号とは、例えばアップリンク信号（送信データ）である。
【００４７】
さらに、本無線通信方法は、選択段階で選択したリユースゾーンを示す情報をＢＳに通知する通知段階を含む（ステップＡ３）。
【００４８】
リユースゾーンの選択情報は、例えば、変更先のリユースゾーンを識別する情報である。変更後のＭＣＳを選択した場合は、選択したＭＣＳを示すＭＣＳ情報をリユースゾーンの選択情報とともに通知してもよい。
【００４９】
図８を参照して、第１の実施形態による無線端末１００を説明する。
【００５０】
無線端末１００は、無線基地局と無線通信を行う無線通信部１０１を有する。無線通信部１０１は、測定部１０３と結合しており、受信信号を復調した信号を測定部１０３に送る。
【００５１】
無線端末１００は、無線端末１００に割り当てられたリユースゾーン（リユース１ゾーンまたはリユース３ゾーンのうちいずれか）に応じた第１の時間帯または第２の時間帯の信号の品質を測定する測定部１０３をさらに有する。即ち、ＭＳは、リユース１ゾーンが割当てられている場合は第１の時間帯の信号の品質を測定し、リユース３ゾーンが割当てられている場合は、第２の時間帯の信号の品質を測定する。測定する信号は、例えば個別パイロット信号である。測定する信号の受信品質は、例えば搬送波レベル対干渉・雑音比（ＣＩＮＲ）である。測定部１０３は、選択部１０５と結合しており、測定した信号の品質を送る。
【００５２】
無線端末１００は、測定部１０３が測定した信号の品質に基づき、データ通信を行うためのリユースゾーンを選択する選択部１０５をさらに有する。この選択は、たとえば所定の閾値との比較により行うことができるが、その他の適切なアルゴリズムを用いてもよい。例えば、リユースゾーンとともに、変更後のＭＣＳを選択することもできる。他の信号とは、例えばアップリンク信号である。選択部１０５は、通知部１０７と結合されており、選択したリユースゾーンの識別情報を通知部に出力する。
【００５３】
無線端末１００は、選択部１０５が選択したリユースゾーンを示すリユースゾーン情報を通知する通知部１０７をさらに有する。リユースゾーン情報は、例えば、変更先のリユースゾーンを識別する情報である。変更後のＭＣＳを選択した場合は、選択したＭＣＳを示すＭＣＳ情報をともに通知してもよい。通知部１０７は、無線通信部１０１と結合されており、選択したリユースゾーンを示す信号を、無線通信部１０１を介して無線基地局に送信する。
【００５４】
図９を参照して、第１の実施形態による無線基地局２００を説明する。
【００５５】
無線基地局２００は、無線端末（例えば、図８の無線端末１００）と無線通信を行う無線通信部２０１を有する。無線通信部２０１は、受取部２０３と結合され、受信信号を復号した信号を送る。この信号には、無線端末に割り当てられたリユースゾーン（リユース１ゾーン、リユース３ゾーン）に応じた第１の時間帯または第２の時間帯の信号の品質に基づき無線端末が選択した、データ通信を行うためのリユースゾーンを示すリユースゾーン情報が含まれている。
【００５６】
また、無線基地局２００は、このリユースゾーン情報の通知を受け取る受取部２０３を有する。受取部２０３は、受け取ったリユースゾーン情報を無線通信部２０１に通知する。また、受取部は、リユースゾーン情報とともにＭＣＳ情報が送られてきている場合には、このＭＣＳ情報も受け取る。無線通信部２０１は、このリユースゾーン情報（及びＭＣＳ情報）に基づき、無線端末と無線通信する無線リソースをスケジューリングする。
【００５７】
［第２の実施形態による無線通信方法］
次に、図１０Ａないし図１０Ｃを参照して、第２の実施形態による通信方法を説明する。図１０Ａないし図１０Ｃは、第２の実施形態による通信方法を示すフローチャートである。
【００５８】
本実施形態では、ＭＳがゾーンとＭＣＳを選択して、選択したゾーン情報とＭＣＳ情報をＢＳに通知する。他の実施形態では、ＭＳが信号品質を測定して、測定した信号品質をＢＳに通知し、ＢＳがゾーンとＭＣＳを決定してもよい。
【００５９】
第２の実施形態による通信方法は、リユースゾーンが依然として割り当てられていないスタートから始まる。
【００６０】
ステップＢ１において、ＭＳはリユース１ゾーンのダウンリンク信号の受信品質α１を測定する。受信品質を測定する対象は、例えば個別パイロット信号である。
【００６１】
ステップＢ１に続きステップＢ３において、ＭＳはリユース３ゾーンのダウンリンク信号の受信品質α３を測定する。
【００６２】
ステップＢ３に続きステップＢ５において、ＭＳは測定した受信品質α１とα３を比較する。リユース１ゾーンの下り受信品質α１が、リユース３ゾーンの下り受信品質α３以上であれば、ステップＢ７に進む。
【００６３】
ステップＢ７において、ＭＳは、所属ゾーンをリユース１ゾーンとして、ＭＣＳテーブルに基づきＭＣＳを選択する。ＭＣＳテーブルは図１５を参照してより詳しく説明する。
【００６４】
ステップＢ７に続きステップＢ９において、ＭＳは、ゾーン情報とＭＣＳ結果をＢＳに通知する。
【００６５】
ステップＢ９に続きステップＢ１１において、ＭＳは、次フレームも通信するか判断する。次フレームも通信するときは、ステップＢ３５（図１０Ｃ参照）に進む。図１０Ｃについては、後で詳しく説明する。
【００６６】
一方、ステップＢ１１において、次フレームは通信しないときは、本方法は終了する。
【００６７】
また、ステップＢ５において、リユース１ゾーンの下り受信品質α１が、リユース３ゾーンの下り受信品質α３よりも低ければ、ステップＢ１３に進む。
【００６８】
ステップＢ１３において、ＭＳは、所属ゾーンをリユース３ゾーンとして、リユース３ゾーンでのＭＣＳをＭＣＳテーブルに基づき選択する。
【００６９】
ステップＢ１３に続きステップＢ１５において、ゾーン情報とＭＣＳ結果をＢＳに通知する。
【００７０】
ステップＢ１５に続きステップＢ１７において、ＭＳは、次フレームも通信するか判断する。次フレームも通信するときは、ステップＢ１９（図１０Ｂ参照）に進む。
【００７１】
一方、ステップＢ１７において、次フレームは通信しないときは、本方法は終了する。
【００７２】
ステップＢ１９において、ＭＳは、リユース３ゾーンの下り受信品質α３を測定する。
【００７３】
ステップＢ１９に続きステップＢ２１において、ＭＳは、リユース３ゾーンの下り受信品質α３を、リユース３ゾーンにおいてリユース１ゾーンとリユース３ゾーンの境界を決める閾値Ａ３と比較する。そして、α３が閾値Ａ３以上であれば、ステップＢ２３に進む。
【００７４】
ステップＢ２３において、ＭＳは、所属ゾーンをリユース１ゾーンとして、ＭＣＳは伝搬環境が最も悪いときに適用するＭＣＳ（例えば、ＦＥＣレートが１／２のＱＰＳＫ）とする。
【００７５】
ステップＢ２３に続きステップＢ２５において、ＭＳは、ゾーン情報とＭＣＳ結果をＢＳに通知する。
【００７６】
ステップＢ２５に続きステップＢ２７において、ＭＳは、次フレームも通信するか判断する。次フレームも通信するとき、ステップＳ３５（図１０Ｃ参照）に進む。図１０Ｃについては、後で詳しく説明する。
【００７７】
一方、ステップＢ２７において、次フレームは通信しないとき、本方法は終了する。
【００７８】
ステップＢ２１において、リユース３ゾーンの下り受信品質α３が、リユース１ゾーンとリユース３ゾーンの境界を決める閾値Ａ３より低ければ、ステップＢ２９に進む。
【００７９】
ステップＢ２９において、所属ゾーンをリユース３ゾーンとして、リユース３ゾーンでのＭＣＳをＭＣＳテーブルに基づき選択する。
【００８０】
ステップＢ２９に続きステップＢ３１において、ＭＳは、ゾーン情報とＭＣＳ結果をＢＳに通知する。
【００８１】
ステップＢ３１に続きステップＢ３３において、ＭＳは、次フレームも通信するか判断する。次フレームも通信する場合は、ステップＢ１９に戻り、上記のプロセスを繰り返す。
【００８２】
一方、ステップＢ３３において、次フレームは通信しない場合、本方法は終了する。
【００８３】
次に図１０Ｃを説明する。
【００８４】
ステップＢ３５において、ＭＳは、リユース１ゾーンの下り受信品質α１を測定する。
【００８５】
ステップＢ３５に続きステップＢ３７において、ＭＳは、リユース１ゾーンの下り受信品質α１を、リユース１ゾーンにおいてリユース１ゾーンとリユース３ゾーンの境界を決める閾値Ａ１と比較する。そして、α１が閾値Ａ１以上であれば、ステップＢ３９に進む。
【００８６】
ステップＢ３９において、ＭＳは、所属ゾーンをリユース１ゾーンとして、ＭＣＳは伝搬環境が最も悪いときに適用するＭＣＳ（例えば、ＦＥＣレートが１／２のＱＰＳＫ）とする。
【００８７】
ステップＢ３９に続きステップＢ４１において、ＭＳは、ゾーン情報とＭＣＳ結果をＢＳに通知する。
【００８８】
ステップＢ４１に続きステップＢ４３において、ＭＳは、次フレームも通信するか判断する。次フレームも通信するとき、ステップＢ３５に戻る。
【００８９】
一方、ステップＢ４３において、次フレームは通信しないとき、本方法は終了する。
【００９０】
ステップＢ３７において、リユース１ゾーンの下り受信品質α１が、リユース１ゾーンにおいてリユース１ゾーンとリユース３ゾーンの境界を決める閾値Ａ１より低ければ、ステップＢ４５に進む。
【００９１】
ステップＢ４５において、所属ゾーンをリユース３ゾーンとして、リユース３ゾーンでのＭＣＳをＭＣＳテーブルに基づき選択する。
【００９２】
ステップＢ４５に続きステップＢ４７において、ＭＳは、ゾーン情報とＭＣＳ結果をＢＳに通知する。
【００９３】
ステップＢ４７に続きステップＢ４９において、ＭＳは、次フレームも通信するか判断する。次フレームも通信する場合は、ステップＢ１９（図１０Ｂ参照）に戻り、上記のプロセスを繰り返す。
【００９４】
一方、ステップＢ４９において、次フレームは通信しない場合、本方法は終了する。
【００９５】
［第３の実施形態による無線通信方法］
次に、図１１Ａ、図１１Ｂ、図１１Ｃを参照して、第３の実施形態による通信方法を説明する。図１１Ａ、図１１Ｂ、図１１Ｃは、第３の実施形態による通信方法を示すフローチャートである。
【００９６】
この通信方法では、セルのエリアを次の４エリアに分割する。第１のエリアは、リユース１ゾーンのうちＢＳに近いエリアである。第２のエリアは、リユース１ゾーンのうちＢＳから遠いエリア、すなわちリユース３ゾーンに近いエリアである。第３のエリアは、リユース３ゾーンのうちＢＳに近いエリア、すなわちリユース１ゾーンに近いエリアである。第４のエリアは、リユース３ゾーンのうちＢＳから遠いエリア、すなわちセルエッジに近いエリアである。
【００９７】
そして、第１のエリアでは、リユース１ゾーンの受信品質のみを測定する。第２のエリアでは、リユース１ゾーンの受信品質とリユース３ゾーンの受信品質を両方とも測定する。第３のエリアでも、リユース１ゾーンの受信品質とリユース３ゾーンの受信品質を両方とも測定する。第４のエリアでは、リユース３ゾーンの受信品質のみを測定する。
【００９８】
これにより、ＭＳによる受信品質の測定を削減することができる。
【００９９】
本実施形態では、ＭＳがゾーンとＭＣＳを選択して、選択したゾーン情報とＭＣＳ情報をＢＳに通知する。他の実施形態では、ＭＳが信号品質を測定して、測定した信号品質をＢＳに通知し、ＢＳがゾーンとＭＣＳを決定してもよい。
【０１００】
第３の実施形態による通信方法は、スタートから始まる。
【０１０１】
ステップＣ１において、ＭＳは、リユース１ゾーンのダウンリンク信号の受信品質α１を測定する。受信品質を測定する対象は、例えば個別パイロット信号である。
【０１０２】
ステップＣ１に続きステップＣ３において、ＭＳはリユース３ゾーンのダウンリンク信号の受信品質α３を測定する。受信品質を測定する対象は、例えば個別パイロット信号である。
【０１０３】
ステップＣ３に続きステップＣ５において、ＭＳは測定した受信品質α１とα３を比較する。リユース１ゾーンの下り受信品質α１が、リユース３ゾーンの下り受信品質α３以上であれば、ステップＣ７に進む。
【０１０４】
ステップＣ５に続きステップＣ７において、ＭＳは、所属ゾーンをリユース１ゾーンとし、ＭＣＳをＭＣＳテーブルから選択する。
【０１０５】
ステップＣ７に続きステップＣ９において、ＭＳは、ゾーン情報とＭＣＳ結果情報をＢＳに通知する。
【０１０６】
ステップＣ９に続きステップＣ１１において、ＭＳは、リユース１ゾーンの下り受信品質α１を、リユース１ゾーンの中におけるＢＳとの遠近を決めるための所定の閾値Ａ１と比較する。そして、ステップＣ１１において、受信品質α１が閾値Ａ１以上であれば、ステップＣ１３に進む。また、受信品質α１が閾値Ａ１より低ければ、ステップＣ１５に進む。
【０１０７】
ステップＣ１３おいて、ＭＳは、次フレームも通信するか判断する。そして、次フレームも通信する場合、ステップＣ２７（図１１Ｂ）に進む。一方、通信すべき次フレームがない場合、本方法は終了する。
【０１０８】
ステップＣ１５において、ＭＳは、次フレームも通信するか判断する。そして、次フレームも通信する場合、ステップＣ１に戻り、上記のプロセスを繰り返す。一方、通信すべき次フレームがない場合、本方法は終了する。
【０１０９】
一方ステップＣ５において、リユース１ゾーンの下り受信品質α１が、リユース３ゾーンの下り受信品質α３より低ければ、ステップＣ１７に進む。
【０１１０】
ステップＣ１７において、ＭＳは、所属ゾーンをリユース３ゾーンとし、ＭＣＳをＭＣＳテーブルから選択する。
【０１１１】
ステップＣ１７に続きステップＣ１９において、ＭＳは、ゾーン情報とＭＣＳ結果情報をＢＳに通知する。
【０１１２】
ステップＣ１９に続きステップＣ２１において、ＭＳは、リユース３ゾーンの下り受信品質α３を、リユース３ゾーンの中におけるＢＳとの遠近を決めるための所定の閾値Ａ３と比較する。そして、ステップＣ２１において、受信品質α３が閾値Ａ３以上であれば、ステップＣ２３に進む。また、受信品質α３が閾値Ａ３より低ければ、ステップＣ２５に進む。
【０１１３】
ステップＣ２３おいて、ＭＳは、次フレームも通信するか判断する。そして、次フレームも通信する場合、ステップＣ３９に進む。一方、通信すべき次フレームがない場合、本方法は終了する。
【０１１４】
ステップＣ２５において、ＭＳは、次フレームも通信するか判断する。そして、次フレームも通信する場合、ステップＣ１に戻り、上記のプロセスを繰り返す。一方、通信すべき次フレームがない場合、本方法は終了する。
【０１１５】
ステップＣ２７（図１１Ｂ）において、ＭＳは、リユース１ゾーンの下り信号の受信品質α１を測定する。受信品質を測定する対象は、例えば個別パイロット信号である。
【０１１６】
ステップＣ２７に続きステップＣ２９において、ＭＳは、所属ゾーンをリユース１ゾーンとし、ＭＣＳをＭＣＳテーブルから選択する。
【０１１７】
ステップＣ２９に続きステップＣ３１において、ＭＳは、ゾーン情報とＭＣＳ結果情報をＢＳに通知する。
【０１１８】
ステップＣ３１に続きステップＣ３３において、ＭＳは、リユース１ゾーンの下り受信品質α１を、リユース１ゾーンの中におけるＢＳからの遠近を決めるための所定の閾値Ａ１と比較する。そして、ステップＣ３３において、受信品質α１が閾値Ａ１以上であれば、ステップＣ３５に進む。また、受信品質α１が閾値Ａ１より低ければ、ステップＣ３７に進む。ステップＣ３３においては、ＭＳがリユース１ゾーンのうちリユース３ゾーンに遠い側にいるか近い側にいるか判断していることになる。
【０１１９】
ステップＣ３５において、ＭＳは、次フレームも通信するか判断する。そして、次フレームも通信する場合、ステップＣ２７に戻り、上記のプロセスを繰り返す。一方、通信すべき次フレームがない場合、本方法は終了する。
【０１２０】
ステップＣ３７において、ＭＳは、次フレームも通信するか判断する。そして、次フレームも通信する場合、ステップＣ１（図１１Ａ）に戻る。一方、通信すべき次フレームがない場合、本方法は終了する。
【０１２１】
一方、ステップＣ２３（図１１Ａ）に続きステップＣ３９において、ＭＳは、リユース３ゾーンの下り受信品質α３を測定する。
【０１２２】
ステップＣ３９に続きステップＣ４１において、ＭＳは、所属ゾーンをリユース３ゾーンとし、ＭＣＳをＭＣＳテーブルから選択する。
【０１２３】
ステップＣ４１に続きステップＣ４３において、ＭＳは、ゾーン情報とＭＣＳ結果情報をＢＳに通知する。
【０１２４】
ステップＣ４３に続きステップＣ４５において、ＭＳは、リユース１ゾーンの下り受信品質α３を、リユース３ゾーンの中におけるＢＳとの遠近を決めるための所定の閾値Ａ３と比較する。そして、ステップＣ４５において、受信品質α３が閾値Ａ３以上であれば、ステップＣ４７に進む。また、受信品質α３が閾値Ａ３より低ければ、ステップＣ４９に進む。ステップＣ４５においては、ＭＳがリユース３ゾーンのうちリユース１ゾーンに近い側にいるか判断していることになる。
【０１２５】
ステップＣ４７おいて、ＭＳは、次フレームも通信するか判断する。そして、次フレームも通信する場合、ステップＣ１３に戻り、上記のプロセスを繰り返す。一方、通信すべき次フレームがない場合、本方法は終了する。
【０１２６】
ステップＣ４９において、ＭＳは、次フレームも通信するか判断する。そして、次フレームも通信する場合、ステップＣ１に戻り、上記のプロセスを繰り返す。一方、通信すべき次フレームがない場合、本方法は終了する。
【０１２７】
［第２、第３の実施形態の補足説明］
次に、図１２を参照して第２、第３の実施形態の補足説明を行う。図１２は、第２または第３の実施形態において用いられるフレーム構成図である。先に説明したように、ＭＳはリユース３ゾーンに所属すると仮定する。ＭＳは、ダウンリンクのリユース３ゾーンの信号１２１の受信品質を測定する。そして、その値が所定の閾値よりも低い場合、アップリンクの送信をリユース３ゾーンから別ゾーン（例えば、リユース１ゾーン）へ変更せず、引き続きリユース３ゾーンを使用できると判断する。そして、ＵＬリユース３ゾーンにおいて、図１２の参照符号１２２で示すようなバースト割り当てを行う。
【０１２８】
このような動作を行う無線端末の構成例を、図１３を参照して説明する。
【０１２９】
図１３は、第２、または第３の実施形態による無線端末３００の構成例を示すブロック図である。
【０１３０】
無線端末３００は、以下に説明する構成要素を有している。
【０１３１】
アンテナ部３０１は、無線基地局との間で無線信号の送受信を行う。スイッチ部３０３は、アンテナ部３０１に接続され、信号の送受信を切り替える。無線受信部３０５は、スイッチ部３０３に接続され、受信した無線信号を増幅しベースバンド信号に変換するダウンコンバータを有する。
【０１３２】
ＣＰ除去部３０７は、無線受信部３０５に接続され、ベースバンド信号からＣＰ部を抽出・除去する。ＦＦＴ処理部３０９は、ＣＰ除去部３０７に接続され、ＣＰ除去後のＯＦＤＭＡ信号を高速フーリエ変換（ＦＦＴ）処理してデータを取り出す。パイロット抽出部３１１は、ＦＦＴ処理後の信号からパイロット（Pilot）信号を抽出する。
【０１３３】
チャネル推定部３１３は、パイロット抽出部３１１に接続され、抽出したパイロット信号から伝搬環境を推定（Channel Estimation）する。復調部３１５は、チャネル推定部３１３で推定された伝搬環境を利用して、ＦＦＴ部３０９からのデータを補正し復調する。
【０１３４】
復号部３１７は、復調部３１５が復調したデータを復号する。コーデック（CODEC）部３１９は、復号部３１７が復号したデータを音声等の信号に変換する。
【０１３５】
ヒューマンインターフェース部３２１は、無線端末３００のキーボタン、マイク、スピーカー等（図示せず）からの信号をコーデック部３１９へ接続するためのインターフェースを提供する。受信品質測定部３２２は、復調部３１５の信号から下り受信品質を測定する。閾値設定部３２３は、ゾーン及びＭＣＳを選択するための閾値を設定する。
【０１３６】
ゾーン選択部３２４は、受信品質測定部３２２からの品質情報と閾値設定部３２３からの閾値（ゾーン設定情報）とから、無線端末が所属するリユースゾーン（所属ゾーン）を選択する。ＭＣＳ選択部３２５は、受信品質測定部３２２からの品質情報と閾値設定部３２３からの閾値（ＭＣＳ設定情報）とからＭＣＳを選択しその情報（ＭＣＳ情報）をゾーン・ＭＣＳ情報通知部３２６に送る。ゾーン・ＭＣＳ情報通知部３２６は、ゾーン選択部３２４からの所属ゾーン情報と、ＭＣＳ選択部３２５からのＭＣＳ情報とから、ゾーン・ＭＣＳ情報を作成する。
【０１３７】
送信バッファ部３２７は、コーデック部３１９からの上り信号と、ゾーン・ＭＣＳ情報通知部３２６で作成されたゾーン・ＭＣＳ情報とをバッファする。符号部３２９は、送信バッファ部３２７からの信号を符号処理する。パイロット生成部３３１は、上りパイロット（Pilot）信号を生成する。
【０１３８】
Ｒａｎｇ−ＢＷＲＱ−ＦＦＢ等生成部３３３は、Ｒａｎｇｉｎｇ信号、Ｂａｎｄｗｉｄｔｈ  Ｒｅｑｕｅｓｔ信号、Ｆａｓｔ  Ｆｅｅｄｂａｃｋ信号等を生成する。シンボルマッパ部３３５は、符号部３２９からの信号と、パイロット生成部３３１からのパイロット信号と、Ｒａｎｇ−ＢＷＲＱ−ＦＦＢ等生成部３３３からの信号をシンボルに変換する。ＩＦＦＴ部３３７は、シンボルマッパ部３３５からの出力信号を逆高速フーリエ変換（IFFT）処理してＯＦＤＭＡ信号にする。
【０１３９】
ＣＰ挿入部３３９は、ＩＦＦＴ部３３７からのＯＦＤＭＡ信号にＣＰ部を挿入する。無線送信部３４１は、ＣＰ部を挿入した信号を無線信号に変換するアップコンバータと増幅器とを有する。
【０１４０】
無線端末３００では、下り信号を復調した後、受信品質測定部３２３が下り信号の受信品質を測定して、無線基地局に送信することもできる。受信品質の測定対象は、例えば個別パイロット信号でもよい。受信品質は、例えば搬送波レベル対干渉・雑音比（ＣＩＮＲ）であってもよい。
【０１４１】
そして、測定した受信品質は、品質情報作成部３２５において品質情報に変換される。品質情報は、例えば受信レベルの値を示すデータ（例えば、１０ｄＢの場合、０ｘ０ａ)である。
【０１４２】
品質情報は上りのデータと共に基地局へ送信される。
【０１４３】
図１４は、第２、または第３の実施形態による無線基地局４００の構成例を示すブロック図である。
【０１４４】
無線基地局４００は、次の構成要素を有する。
【０１４５】
アンテナ部４０１は、無線基地局との間で無線信号の送受信を行う。スイッチ部４０３は、アンテナ部４０１に接続され、信号の送受信を切り替える。無線受信部４０５は、スイッチ部４０３に接続され、受信した無線信号を増幅しベースバンド信号に変換するダウンコンバータを有する。
【０１４６】
ＣＰ除去部４０７は、無線受信部４０５からのベースバンド信号からＣＰ部を抽出・除去する。ＦＦＴ処理部４０９は、ＣＰ除去部４０７からのＯＦＤＭＡ信号を高速フーリエ変換（FFT）処理してデータを取り出す。パイロット抽出部４１１は、ＦＦＴ処理後の信号からパイロット信号を抽出する。
【０１４７】
チャネル推定部４１３は、抽出したパイロット信号から伝搬環境を推定する。復調部４１５は、チャネル推定部４１３で推定した伝搬環境を利用してＦＦＴ部４０９からのデータを補正し復調する。復号部４１７は、復調したデータを復号する。
【０１４８】
ゾーン・ＭＣＳ情報抽出部４１９は、復号部４１７からの信号から、無線端末が送信したゾーン・ＭＣＳ情報を抽出する。フレームスケジューラ部４２７は、ゾーン・ＭＣＳ情報抽出部４１９からのゾーン・ＭＣＳ情報と、ＩＰネットワークインターフェース部４２９からのサービス品質情報（QoS）とに基づき、下りバーストマッピング及び上りバーストマッピングを作成する。ＩＰネットワークインターフェース部４２９は、復号部４１７が復号したデータをＭＡＣレイヤ・プロトコルデータユニット（MAC-PDU）、ＭＡＣレイヤ・サービスデータユニット（MAC-SDU）、インターネットプロトコル（IP）パケット等に変換し、アクセスサービスゲートウェイ（ASN-GW）とのインターフェースを提供する。
【０１４９】
送信バッファ部４３１は、フレームスケジューラ４２７によるスケジューリングに基づき、データをバッファする。符号部４３３は、送信バッファ部４３１から送られてきた信号を符号化する。ＦＣＨ，ＤＬ／ＵＬ−ＭＡＰ生成部４３５は、ＦＣＨ、ＤＬ／ＵＬ−ＭＡＰ信号を生成する。
【０１５０】
パイロット/プリアンブル生成部４３７は、下りパイロット信号とプリアンブル信号とを生成する。シンボルマッパ部４３９は、符号部４３３からの符号化された信号と、ＦＣＨ，ＤＬ／ＵＬ−ＭＡＰ生成部４３５からの信号と、パイロット/プリアンブル生成部４３７からの信号とを、適用する変調方式によりシンボルに変換してマッピングする。ＩＦＦＴ部４４１は、シンボルマッパ部４３９からの信号を逆高速フーリエ変換（IFFT）処理してＯＦＤＭＡ信号にする。
【０１５１】
ＣＰ挿入部４４３は、ＩＦＦＴ処理をした信号にＣＰ部を挿入する。無線送信部４４５は、信号を無線信号に変換するアップコンバータと増幅器とを有する。
【０１５２】
無線基地局４００では、上り信号を復調・復号後、ゾーン・ＭＣＳ情報抽出部４１９により、無線端末が選択したゾーンを示すゾーン情報とＭＣＳを示すＭＣＳ情報とを抽出する。
【０１５３】
なお、図１３及び図１４を参照して説明した実施形態では、ＭＳがゾーンとＭＣＳを決定して、決定したゾーン情報とＭＣＳ情報をＢＳに通知するものと仮定した。
【０１５４】
他の実施形態では、ＭＳがゾーン情報のみを決定し、ゾーン情報とともに品質情報をＢＳに通知し、ＢＳがＭＣＳを決定することもできる。この場合、ゾーン決定部、閾値設定部をＭＳに設け、ＭＣＳ決定部をＢＳに設けることもできる。
【０１５５】
また、図１４を参照して説明した無線基地局４００では、上り信号を復調、復号後、下り品質情報抽出部４１９で、無線端末で測定された下り信号の受信品質を示す品質情報を抽出する。実施形態によっては、上り信号を復調後、復号をせずに無線端末で測定された下り信号の受信品質を示す品質情報を抽出することも可能である。
【０１５６】
次に、ＭＣＳ選択部が変調・符号化方式（ＭＣＳ；Modulation and Coding Scheme）の選択に用いるＭＣＳテーブルを説明する。図１５は、ＭＣＳテーブルの一例を示す図である。
【０１５７】
図１５のＭＣＳテーブルは、受信品質としてＣＩＮＲを用いた例であり、変調方式、ＦＥＣレート、ＣＩＮＲ、ビット／シンボルレートの対応関係を示している。図１５に示すように、例えば、ＣＩＮＲが１４［ｄＢ］の場合は、変調方式ＱＰＳＫ、ＦＥＣレート１／２がＭＣＳとして選択される。
【０１５８】
次に、上記実施形態の適用による効果を、無線通信システムの一例を挙げて、図１６及び図１７を参照して説明する。この例では、ＩＥＥＥ８０２．１６標準（ＷｉＭＡＸ）の適用を前提とするが、上記のおとり、上記実施形態の適用はＩＥＥＥ８０２．１６標準には限定されない。
【０１５９】
図１６は、本無線通信システム例におけるＭＳの配置を示す図である。図１６に示したように、セル１６１に配置された無線通信システムには、１台のＢＳと、１０台のＭＳ１〜２０がある。ＭＳ１〜２０のうち、ＭＳ１〜１０はリユース１ゾーン１６２にあり、ＭＳ１１〜２０はリユース３ゾーン１６３にあるものと仮定する。
【０１６０】
なお、実際のサービスエリアには、隣接セルも存在するが、説明を簡単にするため省略する。
【０１６１】
データ送信用スロットは、１０スロットとし、この１０スロットの間にはＭＣＳは変化しないものとする。１０スロットをシンボル数に換算すると４８０シンボルとなる。例えば、ＭＣＳがＱＰＳＫ（１／３）である場合、送信データビット数Ｘは、
Ｘ＝２×（１／３）×４８０＝３２１［ビット］
である。
【０１６２】
図１７は、図１６の無線通信システム例について、従来技術と実施形態をそれぞれ適用した場合に得られる送信ビット数を計算した結果を示す図である。受信品質としてＣＩＮＲを用いるものとする。また、簡単のため、測定した受信品質は全て、リユースゾーンを変更するための閾値よりも大きく、リユースゾーンの変更は行われないものとする。
【０１６３】
リユース１ゾーンは、従来技術でも実施形態でも、リユース１ゾーンの信号の受信品質からリユースゾーンの割り当て、及びＭＣＳの選択を行うため、送信ビット数は同じとなる。例えば、ＭＳ１についてＣＩＮＲは、従来技術でも実施形態でも１５．０［ｄＢ］となる。
【０１６４】
一方、リユース３は、従来技術では、実施形態と比較して、ＣＩＮＲ値が低い値となっている。例えば、ＭＳ１１について、ＣＩＮＲは、従来技術では１４．０［ｄＢ］であるが、実施形態では１９．０［ｄＢ］となっている。その理由は、一般的に、リユース３ゾーン用の信号は、セル周辺部まで到達するように、リユース１ゾーンの信号と比較して、送信パワーを大きくしているからである。つまり、リユース３ゾーン信号は、リユース１ゾーン信号に比べて、サブキャリア当たりの送信パワーが大きい。本例では、送信パワーの差によるＣＩＮＲの差が５［ｄＢ］であるものとした。つまり、実施形態において測定するＣＩＮＲ値は、従来技術において測定するＣＩＮＲ値より５［ｄＢ］高いものとした。
【０１６５】
測定したＣＩＮＲに基づくＭＣＳの選択は、例えば図１５に示したＭＣＳテーブルを用いる。
【０１６６】
その結果、例えば、ＭＳ１１について、従来技術では、ＣＩＮＲ＝１４．０［ｄＢ］であるから、ＭＣＳはＱＰＳＫ（１／２）となり、送信ビット数＝４８０［ビット］となる。一方、実施形態では、ＣＩＮＲ＝１９．０［ｄＢ］であるから、ＭＣＳは１６ＱＡＭ（１／２）となり、送信ビット数＝９６０［ビット］となる。
【０１６７】
同様に、ＭＳ１１からＭＳ２０についてＭＣＳ及び送信ビット数を求める。
【０１６８】
その結果、従来技術による総送信ビット数は７，３５６［ビット］であるのに対し、実施形態による総送信ビット数は１０，８７４［ビット］となる。実施形態を適用すると、従来技術に比べて、総送信ビット数が約１．５倍になり、スループットが上昇することがわかる。
【０１６９】
［変形例］
上記の通り、本実施形態ではリユース３ゾーンの受信品質を測定する。この測定方法には図１８Ａ乃至図１９Ｃに示す通り、いろいろなバリエーションが考えられる。以下、これらのバリエーションを実施例として説明する。
【０１７０】
なお、図１８Ａ乃至図１８Ｃは、リユース３ゾーンにおいて、無線基地局が、隣接する他の無線基地局とは異なる周波数帯域を用いて無線通信を行う場合である。
【０１７１】
また、図１９Ａ乃至図１９Ｃは、リユース３ゾーンにおいて、無線基地局が、隣接する他の無線基地局とは時分割により無線通信を行う場合である。
【０１７２】
変形例１
図１８Ａに変形例１を示す。ＭＳがリユース１ゾーンとリユース３ゾーンの下り受信品質α１、α３を測定して、リユースゾーンを選択するものである。詳細動作フローは第２、及び、第３の実施形態のフロー参照。ただし、ＭＳが、所属するリユースゾーンの下り受信品質を測定する際、全サブチャンネルの受信品質の平均（参照符号１８１で示した）からリユースゾーンを選択する例である。
【０１７３】
本例では、ＭＳがリユース３ゾーンの例を示したが、ＭＳがリユース１ゾーンに所属する場合は、リユース１ゾーンの受信品質の平均（図示せず）からリユースゾーンを選択する。
【０１７４】
変形例２
図１８Ｂに変形例２を示す。ＭＳがリユース１ゾーンとリユース３ゾーンの下り受信品質α１、α３を測定して、リユースゾーンを選択するものである。詳細動作フローは第２、及び、第３の実施形態のフロー参照。ただし、ＭＳが、所属するリユースゾーンの下り受信品質を測定する際、上りで使用するサブチャンネルのみの受信品質の平均（参照符号１８３で示した）から、リユースゾーンを選択する例である。これにより、上りで使用するサブチャンネルの伝搬環境をより正確に反映できる。
【０１７５】
本例では、ＭＳがリユース３ゾーンに所属している例を示したが、ＭＳがリユース１ゾーンに所属している場合には、リユース１ゾーンの上りで使用するサブチャンネルのみの受信品質の平均（図示せず）からリユースゾーンを選択する。
【０１７６】
変形例３
図１８Ｃに実施例３を示す。ＭＳがリユース１ゾーンとリユース３ゾーンの下り受信品質α１、α３を測定して、リユースゾーンを選択するものである。詳細動作フローは第２、及び、第３の実施形態のフロー参照。ただし、ＭＳが、所属するリユースゾーンの下り受信品質を測定する際、上りで使用するサブチャンネルのみで、かつ下りサブフレームの時間的に最後の受信品質の平均（参照符号１８５で示した）から、リユースゾーンを選択する例である。これにより、上りで使用するサブチャンネルの伝搬環境をより正確に反映できる。
【０１７７】
本例では、ＭＳがリユース３ゾーンに所属している例を示したが、ＭＳがリユース１ゾーンに所属している場合には、リユース１ゾーンの上りで使用するサブチャンネルのみで、かつ下りサブフレームの時間的に最後の受信品質の平均（図示せず）からリユースゾーンを選択する。
【０１７８】
変形例４
無線基地局は、リユース３ゾーンの時間帯では、その時間帯をさらに分割した、隣接する他の無線基地局とは異なる時間帯を用いて無線通信を行うことも可能である。図１９Ａ乃至図１９Ｃは、リユース３ゾーンの時間帯を時間軸方向に３分割している。無線基地局は、分割された時間帯のうち、隣接する他の無線基地局とは異なる時間帯を用いて、リユース３ゾーンの無線端末と通信を行う。
【０１７９】
図１９Ａに実施例４を示す。ＭＳがリユース１ゾーンとリユース３ゾーンの下り受信品質α１、α３を測定して、リユースゾーンを選択するものである。詳細動作フローは第２、及び、第３の実施形態のフロー参照。ただし、ＭＳが、所属するリユースゾーンの下り受信品質を測定する際、３分割されたリユース３ゾーンのうち、真ん中の時間帯を用いて、全サブチャンネルの受信品質の平均（参照符号１９１で示した）からリユースゾーンを選択する例である。
【０１８０】
本例では、ＭＳがリユース３ゾーンの例を示したが、ＭＳがリユース１ゾーンに所属する場合は、リユース１ゾーンの受信品質の平均（図示せず）からリユースゾーンを選択する。
【０１８１】
変形例５
図１９Ｂに実施例５を示す。ＭＳがリユース１ゾーンとリユース３ゾーンの下り受信品質α１、α３を測定して、リユースゾーンを選択するものである。詳細動作フローは第２、及び、第３の実施形態のフロー参照。ただし、ＭＳが、所属ゾーンするリユースゾーンの下り受信品質を測定する際、上りで使用するサブチャンネルのみの受信品質の平均（参照符号１９３で示した）から、リユースゾーンを選択する例である。これにより、上りで使用するサブチャンネルの伝搬環境をより正確に反映できる。
【０１８２】
本例では、ＭＳがリユース３ゾーンに所属している例を示したが、ＭＳがリユース１ゾーンに所属している場合には、リユース１ゾーンの上りで使用するサブチャンネルのみの受信品質の平均（図示せず）からリユースゾーンを選択する。
変形例６
図１９Ｃに実施例６を示す。ＭＳがリユース１ゾーンとリユース３ゾーンの下り受信品質α１、α３を測定して、リユースゾーンを選択するものである。詳細動作フローは第２、及び、第３の実施形態のフロー参照。ただし、ＭＳが、所属するリユースゾーンの下り受信品質を測定する際、上りで使用するサブチャンネルのみで、かつ下りサブフレームの時間的に最後の受信品質の平均（参照符号１９５で示した）から、リユースゾーンを選択する例である。これにより、上りで使用するサブチャンネルの伝搬環境をより正確に反映できる。
【０１８３】
本例では、ＭＳがリユース３ゾーンに所属している例を示したが、ＭＳがリユース１ゾーンに所属している場合には、リユース１ゾーンの上りで使用するサブチャンネルのみで、かつ下りサブフレームの時間的に最後の受信品質の平均（図示せず）からリユースゾーンを選択する。
【０１８４】
［第３の実施形態］
次に、図２０乃至図２３を参照して、第３の実施形態を説明する。この実施形態は、図２０に示すように、ＢＳを中心としてセル２０１が形成されているものとする。リユース１ゾーン２０２の周りのリユース３ゾーン２０３内の不感地帯２０４に無線端末ＭＳ２が存在し、リユース３ゾーン２０３内の無線端末ＭＳ１がマルチホップリレーとして通信を行う場合である。
【０１８５】
図２１に示すように、ＭＳ１とＭＳ２が通信を行う際、ＭＳ２が下りサブルレームのリユース１ゾーンとリユース３ゾーンのトランスペアレントゾーンの下り受信品質α１、α３を測定して、リユースゾーンを選択するものである。詳細動作フローは第２、及び、第３の実施形態のフロー参照。ただし、その時、全サブチャンネルの受信品質の平均から、リユースゾーンを選択する。
【０１８６】
本例では、ＭＳ２がリユース３ゾーンの例を示したが、ＭＳ２がリユース１ゾーンに所属する場合は、リユース１ゾーンの受信品質の平均（図示せず）からリユースゾーンを選択する。
【０１８７】
図２２は、第３の実施形態による無線端末５００の構成例を示すブロック図である。
【０１８８】
無線端末５００の構成要素について順に説明する。
【０１８９】
リレー制御情報検出部５０３は、復調部５０１から出力される復調信号から、本機がリレー端末として動作するかどうかを選択するリレー制御情報を検出する。
【０１９０】
アクセスゾーン・トランスペアレントゾーン受信品質測定部５０４は、復調部５０１からの信号とリレー制御情報検出部５０３からの情報により、アクセスゾーン、またはトランスペアレントゾ−ンの下り受信品質を測定する。
【０１９１】
閾値設定部５０５は、ＭＣＳを選択するための閾値を設定する。
【０１９２】
ゾーン選択部５０６は、アクセスゾーン・トランスペアレントゾーン下り品質情報抽出部５０４からの下り品質情報と、閾値設定部５０５からの閾値（ゾーン設定情報）とに基づき所属ゾーンを選択する。
【０１９３】
ＭＣＳ選択部５０７は、アクセスゾーン・トランスペアレントゾーン下り品質情報抽出部５０４からの下り品質情報と、閾値設定部５０５からの閾値（ＭＣＳ設定情報）とからＭＣＳを選択する。
【０１９４】
ゾーン・ＭＣＳ情報作成部５０８は、ゾーン選択部５０６からの所属ゾーンと、ＭＣＳ選択部５０７からのＭＣＳとから、ゾーン・ＭＣＳ情報を作成して、送信バッファ部５０９に送る。
【０１９５】
その他の構成要素は、図１３に示した無線端末３００の対応する構成要素と基本的に同様である。
【０１９６】
図２３は、第４の実施形態による無線基地局６００の構成例を示すブロック図である。
【０１９７】
無線基地局６００の構成要素について順に説明する。
【０１９８】
ゾーン・ＭＣＳ情報抽出部６０３は、復号部６０１からＭＳ毎に送られてくるゾーン・ＭＣＳ情報を抽出する。
【０１９９】
フレームスケジューラ部６１１は、ゾーン・ＭＣＳ情報抽出部６０３からのゾーン・ＭＣＳ情報と、ＩＰネットワークインターフェース部６１３からのサービス品質情報（ＱｏＳ）とに基づき、下りバーストマッピングと上りバーストマッピングを作成する。
【０２００】
その他の構成要素は、図１４に示した無線端末４００の対応する構成要素と同様である。
【０２０１】
無線基地局６００では、図１４に示した無線基地局４００と同様に、上り信号を復調・復号後、ゾーン・ＭＣＳ情報抽出部６０３により、無線端末で選択されたゾーン及びＭＣＳを示すゾーン・ＭＣＳ情報を抽出する。
【０２０２】
図２２及び図２３を参照して説明した実施形態では、ＭＳがゾーンとＭＣＳを選択して、選択したゾーン情報とＭＣＳ情報をＢＳに通知している。この場合、ＭＣＳ選択部、ゾーン選択部、閾値設定部をＭＳに設け、ゾーン情報及びＭＣＳ情報をＢＳに通知するようにしている。
【０２０３】
他の実施形態では、ＭＳが信号品質を測定して、測定した信号品質を品質情報としてＢＳに通知し、ＢＳがゾーンとＭＣＳを決定してもよい。
【０２０４】
上記の第４の実施形態では、ＭＳ２が下りサブフレームのリユース３ゾーンのトランスペアレントゾーンの下り受信品質を測定する際、全サブチャンネルの受信品質の平均から、リユースゾーンを選択するものとした。
【０２０５】
他の実施例として、図１８Ｂを参照して説明したように、上りで使用するサブチャンネルのみの受信品質の平均からリユースゾーンを選択することもできる。
【０２０６】
他の実施例として、図１８Ｃを参照して説明したように、上りで使用するサブチャンネルのみで、かつ下りサブフレームの時間的に最後の受信品質の平均から、リユースゾーンを選択することもできる。
【０２０７】
無線基地局が、隣接する他の無線基地局とは異なる周波数帯域を用いて無線通信を行う替わりに、隣接する他の無線基地局とは時分割により無線通信を行うこともできる。
【０２０８】
一実施例として、図１９Ａを参照して説明したように、所属するリユースゾーンの下り受信品質を測定する際、全サブチャンネルの受信品質の平均からリユースゾーンを選択することもできる。
【０２０９】
他の実施例として、図１９Ｂを参照して説明したように、上りで使用するサブチャンネルのみの受信品質の平均から、リユースゾーンを選択することもできる。
【０２１０】
他の実施例として、図１９Ｃを参照して説明したように、上りで使用するサブチャンネルのみで、かつ下りサブフレームの時間的に最後の受信品質の平均から、リユースゾーンを選択することもできる。
【０２１１】
以上、実施の形態について詳述したが、特定の実施形態に限定されるものではなく、特許請求の範囲に記載された本発明の要旨の範囲内において、種々の変形及び変更が可能である。
【０２１２】
以上の実施例１〜６を含む実施形態に関し、更に以下の付記を開示する。
（付記１）
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線通信方法であって、
第１の時間帯または第２の時間帯のうち、無線端末に割り当てられた時間帯を特定し、特定した時間帯で送信される信号の品質を無線端末が測定する測定段階と、
その無線端末が、測定した信号の品質に基づいて選択した第１の時間帯または第２の時間帯のうちのいずれかを示す選択情報、または、特定した時間帯で送信される信号について測定した品質情報を無線基地局に通知する通知段階とを含む無線通信方法。
（付記２）
変調・符号化方式を選択し、選択した変調・符号化方式を前記選択情報とともに通知する段階をさらに有する、付記１に記載の無線通信方法。
（付記３）
測定段階において、第２の時間帯の信号の品質を測定する場合、前記信号の全サブチャンネルにおける平均値、上り通信に使用するサブチャンネルにおける平均値、または上り通信に使用するサブチャンネルのうち前記第２の時間帯の最後のもの平均値により品質を測定する、付記１または２に記載の無線通信方法。
（付記４）
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線端末であって、
第１の時間帯または第２の時間帯のうち、無線端末に割り当てられた時間帯を特定し、特定した時間帯で送信される信号の品質を測定する測定部と、
前記測定部が測定した信号の品質にもとづいて選択した第１の時間帯または第２の時間帯のうちのいずれかを示す選択情報、または特定した時間帯で送信される信号について測定した品質情報を無線基地局に通知する通知部と
を有する無線端末。
（付記５）
変調・符号化方式を選択し、選択する変調符号化選択部をさらに有し、
前記通知部は、前記変調符号化選択部が選択した変調・符号化方式を前記選択情報とともに通知する、付記４に記載の無線端末。
（付記６）
前記測定部は、第１または第２の時間帯の信号の品質を測定する場合、前記信号の全サブチャンネルにおける平均値、上り通信に使用するサブチャンネルにおける平均値、または上り通信に使用するサブチャンネルのうち前記第２の時間帯の最後のもの平均値により品質を測定する、付記４または５に記載の無線端末。
（付記７）
前記無線端末をリレー端末として動作させるかを示すリレー制御情報を検出するリレー制御情報検出部をさらに有し、
前記測定部は、アクセスゾーンまたはトランスペアレントゾーンの信号の品質を測定できる、付記４乃至６いずれか一項に記載の無線端末。
（付記８）
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムにおける無線基地局であって、
前記無線端末が測定した信号の品質にもとづいて選択した第１の時間帯または第２の時間帯のうちのいずれかを示す選択情報、または特定した時間帯で送信される信号について測定した品質情報を受け取る受取部
を有する無線基地局。
（付記９）
前記受取部は、前記無線端末が前記選択情報とともに通知した変調・符号化方式を受け取る、付記８に記載の無線基地局。
（付記１０）
無線基地局が、第１の時間帯において、隣接する他の無線基地局と共通する周波数帯域を用いて無線端末と無線通信を行い、第２の時間帯において、隣接する他の無線基地局とは異なる周波数帯域を用いて、または前記第２の時間帯をさらに分割した隣接する他の無線基地局とは異なる時間帯を用いて無線端末と無線通信を行う無線通信システムであって、
前記無線端末が、
第１の時間帯または第２の時間帯のうち、無線端末に割り当てられた時間帯を特定し、特定した時間帯で送信される信号の品質を測定し、
測定した信号の品質に基づいて選択した第１の時間帯または第２の時間帯のうちのいずれかを示す選択情報、または特定した時間帯で送信される信号について測定した品質情報を無線基地局に通知することを特徴とする無線通信システム。
【符号の説明】
【０２１３】
１００  無線端末
１０１  無線通信部
１０３  測定部
１０５  選択部
１０７  通知部
２００  無線基地局
２０１  無線通信部
２０３  受取部
３００  無線端末
３０１  アンテナ部
３０３  スイッチ部
３０５  無線受信部
３０７  ＣＰ除去部
３０９  ＦＦＴ処理部
３１１  パイロット抽出部
３１３  チャネル推定部
３１５  復調部
３１７  復号部
３１９  コーデック（CODEC）部
３２１  ヒューマンインターフェース部
３２２  受信品質測定部
３２３  閾値設定部
３２４  ゾーン選択部
３２５  ＭＣＳ選択部
３２６  ゾーン・ＭＣＳ情報通知部
３２７  送信バッファ部
３２９  符号部
３３１  パイロット生成部
３３３  Rang-BWRQ-FFB等生成部
３３５  シンボルマッパ部
３３７  ＩＦＦＴ部
３３９  ＣＰ挿入部
３４１  無線送信部
４００  無線基地局
４０１  アンテナ部
４０３  スイッチ部
４０５  無線受信部
４０７  ＣＰ除去部
４０９  ＦＦＴ処理部
４１１  パイロット抽出部
４１３  チャネル推定部
４１５  復調部
４１７  復号部
４１９  ゾーン・ＭＣＳ情報抽出部
４２７  フレームスケジューラ部
４２９  ＩＰネットワークインターフェース部
４３１  送信バッファ部
４３３  符号部
４３５  FCH, DL/UL-MAP生成部
４３７  パイロット/プリアンブル生成部
４３９  シンボルマッパ部
４４１  ＩＦＦＴ部
４４３  ＣＰ挿入部
４４５  無線送信部
５００  無線端末
５０１  復調部
５０３  リレー制御情報検出部
５０４  アクセスゾーン・トランスペアレントゾーン受信品質測定部
５０５  閾値設定部
５０６  ゾーン選択部
５０７  ＭＣＳ選択部
５０８  ゾーン・ＭＣＳ情報作成部
５０９  送信バッファ部
６００  無線基地局
６０３  ゾーン・ＭＣＳ情報抽出部
６１１  フレームスケジューラ部
６１３  ＩＰネットワークインターフェース部
【図１】
2010278928.tif 000003
【図２】
2010278928.tif 000004
【図３】
2010278928.tif 000005
【図４】
2010278928.tif 000006
【図５】
2010278928.tif 000007
【図６】
2010278928.tif 000008
【図７】
2010278928.tif 000009
【図８】
2010278928.tif 000010
【図９】
2010278928.tif 000011
【図１０Ａ】
2010278928.tif 000012
【図１０Ｂ】
2010278928.tif 000013
【図１０Ｃ】
2010278928.tif 000014
【図１１Ａ】
2010278928.tif 000015
【図１１Ｂ】
2010278928.tif 000016
【図１１Ｃ】
2010278928.tif 000017
【図１２】
2010278928.tif 000018
【図１３】
2010278928.tif 000019
【図１４】
2010278928.tif 000020
【図１５】
2010278928.tif 000021
【図１６】
2010278928.tif 000022
【図１７】
2010278928.tif 000023
【図１８Ａ】
2010278928.tif 000024
【図１８Ｂ】
2010278928.tif 000025
【図１８Ｃ】
2010278928.tif 000026
【図１９Ａ】
2010278928.tif 000027
【図１９Ｂ】
2010278928.tif 000028
【図１９Ｃ】
2010278928.tif 000029
【図２０】
2010278928.tif 000030
【図２１】
2010278928.tif 000031
【図２２】
2010278928.tif 000032
【図２３】
2010278928.tif 000033